(57)【要約】      （修正有）【課題】極めて多種類の陳列形態にある書籍に対応して容易に形態を変化させて販促用の所謂ＰＯＰを表示できるようにし、店頭陳列におけるＰＯＰ表示の多様化、低コスト化及び合理化が図れるような書籍販促用の表示器具を提供する。【解決手段】所望の表示カードを着脱自在に保持するために設けられた一対のカード保持部と、それぞれのカード保持部の近傍に形成されてカード保持部を自在の角度に維持固定できる折曲手段を具える本体部と、を具える。【選択図】図１
0003159608.tif 000002
【実用新案登録請求の範囲】
【請求項１】
所望の表示カードを着脱自在に保持するために設けられた一対のカード保持部と、前記それぞれのカード保持部の近傍に形成されてカード保持部を自在の角度に維持固定できる折曲手段を具える本体部と、を具えたことを特徴とする書籍販促用の表示器具。
【請求項２】
請求項１記載の書籍販促用の表示器具において、前記カード保持部、本体部は、折り曲げ可能または折り曲げ・復元可能な樹脂材で一体に形成し、前記折曲手段は筋押しにより形成された線により構成したことを特徴とする書籍販促用の表示器具。
【請求項３】
請求項２記載の書籍販促用の表示器具において、表示器具は、平板で構成し、この平板の両先端近傍にカード保持部をそれぞれ形成するとともに平板の残余部分で前記折曲手段を有する本体部を形成し、カード保持部はカード挟持手段を具えたことを特徴とする書籍販促用の表示器具。
【請求項４】
請求項３記載の書籍販促用の表示器具において、前記挟持手段は、一対の貫通孔とこの間に形成される貫通切り込み線とを具えることを特徴とする書籍販促用の表示器具。
【請求項５】
請求項４記載の書籍販促用の表示器具において、前記貫通切り込み線は前記一対の貫通孔を結ぶ直線以外のものすなわち半円形状又は方形状、波型形状、三角形状、台形状、その他の多角形状で構成することを特徴とする書籍販促用の表示器具。
【考案の詳細な説明】
【技術分野】
【０００１】
本願考案は、例えばブックショップ等の店舗で値札等のＰＯＰカードを立てて表示するために用いる等、商品陳列に際して使用する書籍販促用の表示器具に関するものであって、当該ＰＯＰカードの表示形態に多様性を持たせたものである。
【背景技術】
【０００２】
従来のこの種のものとして、例えば実用新案登録第３１００７８４号に開示されたものがある。この考案に係る表示用スタンドは、板状の樹脂にＵ字状の切り込み部が穿設され、そのＵ字形状の切り込み部にかかる位置で折曲げ、その切り込み部に原稿写真またはメモを差し込んで使用するように構成したものである。（例えば、特許文献１参照。）
また、実用新案登録第３１４6１９７号には、所望の表示カードを着脱自在に保持するためのカード保持部と、単数または複数の折り曲げ標準線を具え折り曲げにより種々の形態を顕現するとともにその形態を維持できる本体部と、前記カード保持部と本体部との間に設けられて前記カード保持部を所定方向へ自在な方向へ回動させその位置に維持する回動手段とを具えた表示用スタンドが開示されている。
【０００３】
【特許文献１】実用新案登録第３１００７８４号公報
【特許文献２】実用新案登録第３１４６１９７号公報
【考案の開示】
【考案が解決しようとする課題】
【０００４】
特許文献１記載の表示スタンドの場合、表示札の表示形態を一種類とするような限定性が伴うものである。 然しながら、商品の展示販売を行う場合、その展示形態に即応させた表示札の表示形態を採ることが望ましい。
従って、このような従来品のような表示形態が固定化されてしまうと、異なった表示形態を採る場合は、新たに別種類のスタンドを準備する必要が生じてしまい、そのため、これを各種取り揃えることにより展示コストが掛かってしまうと言うような問題が生じてしまうこととなった。
このような問題を是正するために、特許文献２記載の表示スタンドが提供されている。
【０００５】
しかしながら、上記従来の表示スタンドでは、書籍が平積みされている場合など使用条件が限定される不便があった。  このため、書棚に陳列された書籍や、販売台に縦形式で並列された書籍の表示には適していなかった。  このため、基板部と垂下部とからなる断面Ｌ字形状の板の垂下部に販促用の案内を印刷その他の手段で表示し、基板部を書棚に並列した書籍の下部に挿し込むようにしたものが使用されている。  しかしながら、板に印刷してこれを成形したりする必要がありコストがかさむ、あるいは垂下部の面積に制限がありしたがって掲載できる販促用の情報量も制限を受けるなどの問題がある。  また、垂下部は書棚の棚板厚さに制限を受けるのでデザインの自由度に制限があるという問題もあった。
本願考案に係る書籍販促用の表示器具は、極めて多種類の陳列形態にある書籍に対応して販促用の所謂ＰＯＰを表示できる構成を具備し、もって上述したような従来の問題点の解消化を企図し、ＰＯＰ表示のための低コスト化及び合理化が図れるようにすることを目的とするものである。
【課題を解決するための手段】
【０００６】
本願考案は、書籍販促用の表示器具を、所望の表示カードを着脱自在に保持するために設けられた一対のカード保持部と、前記それぞれのカード保持部の近傍に形成されてカード保持部を自在の角度に維持固定できる折曲手段を具える本体部とを具えた構成として、上記従来の課題を解決する。
【０００７】
上記の書籍販促用の表示器具において、前記カード保持部、本体部は、折り曲げ可能または折り曲げ・復元可能な樹脂材で一体に形成し、前記折曲手段は筋押しにより形成された線により構成することがある。
【０００８】
段落０００７記載の書籍販促用の表示器具において、表示器具は、平板で構成し、この平板の両先端近傍にカード保持部をそれぞれ形成するとともに平板の残余部分で前記折曲手段を有する本体部を形成し、カード保持部はカード挟持手段を具える構成となすことがある。
【０００９】
また、段落０００８記載の書籍販促用の表示器具において、前記挟持手段は、一対の貫通孔とこの間に形成される貫通切り込み線とを具える構成となすことがある。
【００１０】
さらに、段落０００９記載の書籍販促用の表示器具において、前記貫通切り込み線は前記一対の貫通孔を結ぶ直線以外のものすなわち半円形状又は方形状、波型形状、三角形状、台形状、その他の多角形状で構成することがある。
【考案の効果】
【００１１】
本願考案は、上記の構成を有することにより、以下のような効果を得ることができる。
イ：、表示器具は、長手状の平板で構成され、単数または複数の折曲線を折り曲げるだけで、カード保持部において種々の形態を顕現することができ  幅広い用途に対応できる。
ロ：  表示器具は、折り曲げ可能または折り曲げ・復元可能な樹脂材で形成されるため、場面に適した形態になすことも、形態の転換もが極めて円滑容易であり、使用後は元に戻すことも同様に簡単に為しえる。
ハ：  表示器具は、カード保持部における挟持手段に販促用のＰＯＰカードを簡単容易に着脱できる一方、器具自体を種々の態様で陳列される書籍群に種々多様な形態で挿し込むことができるから、保持させたカードの顕著な訴求性を得ることができる。
ニ：  挟持手段は、一対の貫通孔とこの間に形成される貫通切り込み線とを具える構成を具えるため、カード類の差込みが容易な反面、一対の貫通孔における応力により容易に脱落することがない。
ホ：  表示器具は、使用時に必要に応じて所要の形態にし、使用後の収蔵、搬送の際には、元の平板に復元できるから収蔵、搬送、取り扱いが容易であり、これらのコストも低廉である。
【考案を実施するための最良の形態】
【００１２】
表示器具は、全体を樹脂製の長手状の平板で、平板の厚さは特に制限されないが、特定の形態を折り曲げにより設定する必要があるから、折り曲げに適した薄板とするのが好ましい。  また、素材を薄い金属板で構成することも可能であるが、コストの点からはＰＥＴ樹脂によるのが現実的である。
【００１３】
本体部における折曲線は、細孔線等で構成可能であるが、筋押し線で構成するのがコスト上の見地から好ましい。
【００１４】
本体部の両端に設けられるカード保持部における挟持手段は、ＰＯＰ等、種々のカード状コマーシャルペーパーを挟んで保持するが、カード保持部の適宜位置に形成した一対の貫通孔とこの間を結ぶ貫通溝（貫通切込み線）により構成する。  この貫通溝（貫通切込み線）は、前記貫通孔間の直線で構成するとカードの保持が困難であるから、半円形状、三角形状、方形状やその他の多角形状で構成する
【実施例】
【００１５】
次に、図面により本願考案の実施例を説明する。  図１は、本願に係る表示器具の１実施例を示す斜視図である。
表示器具１は、所望の表示カードを着脱自在に保持するために設けられた一対のカード保持部２，５と、前記一対の保持部２，５のそれぞれの近傍に形成された折曲線９、１０を具え、折り曲げによりカード保持部２，５を種々の角度に自在に設定保持できる。  なお、図において８は、カード保持部２，５を構成する本体部８である。
【００１６】
この実施例に係る表示器具１は、前記カード保持部２、５、本体部８は、折り曲げ可能または折り曲げ・復元可能な樹脂材で一体に形成されているが、樹脂材には、透明のＰＥＴ材を使用し、後述の折曲線9,10にしたがって折り曲げが自在に為し得るように、薄い平板状に形成されている。
【００１７】
前述のように、本体部８にはその幅方向に２個の折曲線９，１０がカード保持部２、５それぞれの近傍に形成されている。この折曲線９，１０は、プラスチック加工における所謂筋押しと呼ばれる手法により形成されていて、後述のようにカード保持部２、５を本体部８に対して自在な角度に設定し保持することができる。  この実施例では、折曲線を２本設ける例を示したが、さらに必要に応じて本体部８の適宜箇所に単数又は複数形成して、折り曲げにより表示器具１の形態の多様化を図ることが可能である。
【００１８】
そして、表示器具１の一方の端部には前記カード保持部２が、また他端には前記カード保持部５が形成されている。  これら両カード保持部２，５にはそれぞれカード挟持手段２１ならびに５１が形成されている。
【００１９】
カード挟持手段２１は、一対の貫通孔３，３とこの間に形成される貫通切り込み線４とから構成されている。  この実施例で、貫通切り込み線４はほぼ半円形状になっていて、この貫通切り込み線４にカード類が挿し込まれる。  カード類は一対の貫通孔３，３に当接するまで挿し込むことで貫通孔３とこれに接する貫通切り込み線４の端部との作用による応力によって押圧されるのでしっかりと固定保持されることになる。
【００２０】
また、カード挟持手段５１も前記カード挟持手段２１と同様に、一対の貫通孔６，６とこの間に形成される貫通切り込み線７とから構成されている。  この実施例で、貫通切り込み線７はほぼ方形状になっていて、この貫通切り込み線７にカード類が挿し込まれる。      
カード類は一対の貫通孔６，６に当接するまで挿し込むことで貫通孔６とこれに接する貫通切り込み線６の端部との作用による応力によって押圧されるのでしっかりと固定保持されることになる。
【００２１】
前述のようにこの実施例では、カード挟持手段２１における貫通切り込み線４の形状は半円に、またカード挟持手段５１における貫通切り込み線７は方形のП状に、それぞれ形成されているが、このような形状に限らず、三角、多角形、台形、波型など所望の形状で構成することができる。
【００２２】
次に、上記の実施例に係る表示器具の使用例を説明する。  図２は、前記実施例に係る表示器具１を書棚に陳列された書籍類とその底部の棚板との間に差し込み使用する例を示している。  すなわち、図1に示した表示器具１を図２（ａ）に示すように、カード保持部５を折曲線９に沿ってほぼ垂直に折り曲げてカード挟持手段５１に所望内容のＰＯＰカードをクリップさせて、図２（ｂ）に示すように書籍類底部と棚板の間にカード保持部５を除く部分を挿入する。
【００２３】
図３も、図２と同様に表示器具１を書棚に陳列された書籍類とその底部の棚板との間に差し込み使用する例を示しているが、この例では図３（a）に示すように、カード保持部２を折曲線１０に沿ってほぼ垂直に折り曲げてカード挟持手段２１に所望内容のＰＯＰカードをクリップさせて、図３（ｂ）に示すように書籍類底部と棚板の間にカード保持部２を除く部分を挿入している。
【００２４】
図４は、平積みされた書籍群に使用する例を示している。  すなわち、前記の例のように表示器具１において、カード保持部２，５のいずれかを折り曲げて、ＰＯＰカードをクリップして、平積みされた書籍群に適宜挿入して使用している。
【００２５】
図５は、書棚に並列された書籍群の書籍間に挿し込んで使用する例を示している。当然、図１に示す表示器具１を長手方向に差込み、カード表示部２または５いずれかが列外に突出する状態にセットして使用することになる。
【００２６】
図６は、書籍群が並立した棚奥で表示器具１にＰＯＰカードをクリップして使用する例を示しているが、図７に示すように、書籍群が並立する棚前面でも使用することができる。
【００２７】
図７は、例えば複数冊の文庫本などをたてに並立させる陳列に表示器具１を適用する例を示している。  すなわち、図７（a）に示すように、表示器具１はカード保持部２を垂直に折り曲げ、他のカード保持部５は前記カード保持２とは逆方向に所定角度で折り曲げられており、カード保持部２の折り曲げにより貫通切り込み線４から半円状部４a        が切り離されて立ち上がる状態になる。そして、図７（b）に示すように文庫本群はこの半円状部４aとカード保持部５の間にあって支持されることになる。
【００２８】
以上述べた、使用例は代表的なものであり、必要に応じて表示器具１の形態を種々変化させて使用することができる。
【図面の簡単な説明】
【００２９】
【図１】本願に係る表示器具の１実施例を示す斜視図である。
【図２】表示器具の第1使用例を示す説明図である。
【図３】表示器具の第２使用例を示す説明図である。
【図４】表示器具の第３使用例を示す説明図である。
【図５】表示器具の第４使用例を示す説明図である。
【図６】表示器具の第５使用例を示す説明図である。
【図７】表示器具の第６使用例を示す説明図である。
【符号の説明】
【００３０】
１．．．．．．．表示器具
２．．．．．．．カード保持部
２１．．．．．．挟持手段
３．．．．．．．貫通孔
４．．．．．．．貫通切り込み線
５．．．．．．．カード保持部
５１．．．．．．挟持手段
６．．．．．．．貫通孔
７．．．．．．．貫通切り込み線
８．．．．．．．本体部
９，１０．．．．折曲線
【図１】
0003159608.tif 000003
【図２】
0003159608.tif 000004
【図３】
0003159608.tif 000005
【図４】
0003159608.tif 000006
【図５】
0003159608.tif 000007
【図６】
0003159608.tif 000008
【図７】
0003159608.tif 000009